(57)【要約】【課題】  発芽前の野芝の種子を配置した植生マットにおいて、風雨等でもあっても種子が流出しにくく、また発芽後の水分補給と湿度を良好に行うことができる植生マットを提供する。【解決手段】  ベース部２上に、少なくとも発芽前の野芝の種子７を積層し、その上面に有孔なプラスチックフィルム４を積層して、全体を一体化する。植生マット１を地面11に敷くだけで種子７の植え付け作業を行うことができるばかりでなく、種子７はベース部２とプラスチックフィルム４に挟まれて地面11に配置されることとなるので、種子７が風雨で飛ばされたり地面11の傾斜によって流出するようなことない。プラスチックフィルム４は孔10を有するので散水した水や雨による水分を、孔10を通して種子７まわりに供給できると共に、プラスチックフィルム４の下にある大部分の水分は第２の紙６、プラスチックフィルム４によって大気への放出を阻止できる。【選択図】図２
2007000056.tif 000002
【特許請求の範囲】
【請求項１】
ベース部上に、少なくとも発芽前の野芝の種子を積層し、その上面に有孔なプラスチックフィルムを積層して、全体を一体化してなることを特徴とする植生マット。
【請求項２】
前記ベース部を第１の紙で形成し、前記種子と前記有孔プラスチックフィルムとの間に保水又は及び保湿部材を介在し、積層体全体を糸で縫合してなる請求項１記載の植生マット。
【請求項３】
前記プラスチックフィルムは、ポリエチレン製であり、前記保水部材は第２の紙であることを特徴とする請求項１又は２記載の植生マット。
【請求項４】
ベース部上に、少なくとも発芽前の野芝の種子を積層し、その上面に有孔プラスチックフィルムを積層して、全体を一体化してなる植生マットの製造法であって、前記野芝の種子の表面にあるろう質の被膜を予め除去することを特徴とする植生マットの製造方法。
【請求項５】
前記被膜の除去を酸性の液に浸漬して行うことを特徴とする請求項４記載の植生マットの製造方法。
【発明の詳細な説明】
【技術分野】
【０００１】
本発明は、野芝の植生マット及びその製造方法に関するものである。
【背景技術】
【０００２】
芝はイネ科の多年草であって、芝のうち野芝（ノシバ）は日本芝に属している。この野芝の種子は洋芝類の種子に比較して発芽までの期間が長く、高温を好む性質を有する。そして従来、法面等における芝生の育成は、種子を吹き付けた後に温度不足と乾燥による枯死防止のためにプラスチックフィルムにより覆って養生する種子吹き付け工法や、栽培した芝を所定の大きさに切り取り、植生箇所に芝生を敷き詰める張り芝が行われている。しかしながら、種子吹き付け工法においては、設置面に直接芝を発芽、育成させるものであり、この工法にあっては種子吹き付けをする作業員の熟練度に大きく左右され、その熟練度が低いと吹き付けむらが生じたり種子が均一に法面に定着せず、種子の発芽管理、さらにはその後の育成管理が困難となる。一方張り芝による植生工は、芝のはぎ取り作業、運搬、植え付け箇所の整備、植え付け後の目砂かけ作業等を行う必要があり、植生工を効率的に行うことはできなかった。特に種子吹き付け工法、張り芝にあっては法面において砂、土の流出を伴うため、植生箇所不良箇所において張り芝を再度行うなど補修作業の必要があった。
【０００３】
このような問題を解決するものとして、和紙製ベース部上に、基盤材中に肥料と発芽寸前の野芝の種子を混在させた植生部層を積層し、その上面に椰子繊維層で形成した飛来種子育成阻止層を積層して、全体を縫合して一体化し、裸地等の植生対象箇所に植生マットを敷設して固定することにより、種子や肥料を含んだ基盤材の植生部層が、ベース部と椰子繊維層で形成した飛来種子育成阻止層で上下面が塞がれ、こぼれ出ることが無く植生対象箇所に設置する野芝の植生マットが公知である（例えば特許文献１）。
【特許文献１】特開２００２−２５３００７公報
【発明の開示】
【発明が解決しようとする課題】
【０００４】
従来技術においては、野芝の種子の下方に和紙製ベース部を配置すると共に、上方に椰子繊維層を配置するというものであるが、このようなものにおいては風雨によって基盤材、ひいては種子が椰子繊維層の隙間を通って排出してしまうという問題がある。また、野芝の発芽後の育成にあっては適度な水分補給が必要であるが、従来技術においては種子まわりの水分が大気に放出されることにより水分供給と湿度保持にやや劣るおそれがある。
【０００５】
さらに、野芝の種子の表面にはろう質の被膜が形成されており、この被膜によって発芽が遅くなるおそれがあった。
【０００６】
解決しようとする問題点は、発芽前の野芝の種子を配置した植生マットにおいて、風雨等でもあっても種子が流出しにくく、また発芽後の水分補給と湿度保持を良好に行うことができる植生マットを提供する点である。また、発芽前の野芝の種子を配置した植生マットの製造方法において、種子の発芽性を向上できるように前処理を行う点である。
【課題を解決するための手段】
【０００７】
請求項１の発明は、ベース部上に、少なくとも発芽前の野芝の種子を積層し、その上面に有孔なプラスチックフィルムを積層して、全体を一体化してなることを特徴とする植生マットである。
【０００８】
請求項２の発明は、前記ベース部を第１の紙で形成し、前記種子と前記有孔プラスチックフィルムとの間に保水又は及び保湿部材を介在し、積層体全体を糸で縫合してなる請求項１記載の植生マットである。
【０００９】
請求項３の発明は、前記プラスチックフィルムは、ポリエチレン製であり、前記保水部材は第２の紙であることを特徴とする請求項１又は２記載の植生マットである。
【００１０】
請求項４の発明は、ベース部上に、少なくとも発芽前の野芝の種子を積層し、その上面に有孔プラスチックフィルムを積層して、全体を一体化してなる植生マットの製造法であって、前記野芝の種子の表面にあるろう質の被膜を予め除去することを特徴とする植生マットの製造方法である。
【００１１】
請求項５の発明は、前記被膜の除去を酸性の液に浸漬して行うことを特徴とする請求項４記載の植生マットの製造方法である。
【発明の効果】
【００１２】
請求項１の発明によれば、種子が風雨で飛ばされたり地面の傾斜によって流出するようなことはなく、所望箇所に比較的容易に発芽させて植生させることができると共に水分や湿度の管理も良好に行うことができる。さらに、種子はプラスチックフィルムに覆われるので保護されて養生できると共に、外気温に直接影響を受けずに済むことができる。
【００１３】
請求項２の発明によれば、種子から出る根はベース部を通して地面に容易に根付くことができ、さらに保水又は及び保湿部材を介在したことで、種子回りの保水又は及び保湿性能を高めることができ、しかも積層体全体を縫合したことで一体化し、これにより植生マットの保管を容易に行うことができる。さらに、日中太陽光で地表から奪われる水分をプラスチックフィルムの内側に水滴として保存し、水不足対策をなし、湿度保持の効果を奏することができる。
【００１４】
請求項３の発明によれば、フィルムにおいて耐候性や耐寒性に優れ、さらに第２の紙により軽量化やコストダウンを図ることができる。
【００１５】
請求項４の発明によれば、種子を発芽しやすくしておき、発芽率の向上を図ることができる。
【００１６】
請求項５の発明によれば、前記被膜の除去を酸性の液に浸漬して簡単に行うことができる。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図３は実施例１を示しており、植生マット１は紙製のベース部２と、このベース部２に載置する植生部層３と、この植生部層３に載置する有孔なプラスチックフィルム４を積層し、全体を糸５で縫合したもので、全体の大きさは幅０．９〜１×長さ１〜１０ｍ程度の大きさに形成したものである。そして、植生部層３とプラスチックフィルム４との間には保水又は及び保湿部材としての第２の紙６が介在している。
【００１９】
前記紙製のベース部２は、例えば透ける程度の密度を備えた紙であり、このベース部２上の植生部層３には発芽前の野芝の種子７を、肥料８、さらには保水又は及び保湿剤９と共に混合し、この植生部層３をベース部２に積層している。前記プラスチックフィルム４はポリエチレン製であって、厚みが２０〜４０μｍ程度、好ましくは３０μｍ±４.８μｍであって、５〜３０ｍｍ程度、好ましくは１６〜２０ｍｍ程度の間隔Ｌをおいて、幅（直径）Ｗが０.５〜２ｍｍ程度、好ましくは１〜１.３ｍｍの孔10を上下方向に貫通して形成している。さらに、前記保水又は及び保湿部材としての第２の紙６は透ける程度の密度を備えている。そして、種子７は上下に重ならないで、均等に並べると少なくとも種子７の長さ（例えば５ｍｍ）以上の間隔を保つことができるように配置されている。
【００２０】
次に製造方法について説明する。まず種子７を予め例えば硝酸液のような酸性液に浸漬して種子の表面にあるろう質の被膜を除去する。そして、所定の大きさに切断した紙製のベース部２の上に、被膜を除去した種子７、肥料８、保水又は及び保湿剤９の混合物をほぼ均一に積層する。さらにこの混合物に第２の紙６を積層し、さらにこの第２の紙６にプラスチックフィルム４を積層した後、これらベース部２、第２の紙、そしてプラスチックフィルム４により種子７などを挟んだ状態で縫合して一体的となるようにする。このように一体化されたシート状の植生マット１は、幅Ｘが１ｍ程度で長さＹが１０ｍ程度となって巻き取られて保管される。
【００２１】
次に前記構成についてその作用を説明する。図２に示すように法面などの地面11に植生マット１を敷き、そして植生マット１の上方から杭12を打ち込んで風により飛ばされないように固定する。このように設置された植生マット１においては、例えば積算温度が３００〜４００℃になると発芽を行い、根はベース部２を介して地面11に根付き、一方芽は第２の紙６を通ってプラスチックフィルム４の下面に至る。このような発芽の際に、孔10から第２の紙６の僅かな隙間を通って種子に空気が矢印Ａのように供給される。一方、水分は人工的な散水や自然雨によって供給される。この水分供給は孔10から第２の紙６の僅かな隙間を通って矢印Ａと同様に供給される。その水分は太陽熱によって蒸発したとしても、その一部は矢印Ａと逆方向に第２の紙６の僅かな隙間、孔10を通って大気に放出されるが、地表から奪われるほとんどの水分Ｍを第２の紙６に吸収されたりしてプラスチックフィルム４の内側に保存し、水不足対策をなす。このようにほとんどの水分Ｍは、プラスチックフィルム４の内側に溜まって大気に放出されず、この結果水分Ｍによって水縞が第２の紙６に形成されたりする。この結果プラスチックフィルム４の下方、すなわち種子７の周囲においては適度な湿度、さらには温度が保たれて発芽後に寄与し、種子の育成を良好に行うことができる。
【００２２】
このように野芝が発芽して根付きした後には、図３に示すようにベース部２や第２の紙６は自然に溶けて地面11と一体化して自然に戻る。このような地面11側とプラスチックフィルム４との間に野芝の茎、葉が育成される。この際においても、日中太陽光で地表から奪われる水分をプラスチックフィルム４の内側に水滴として水分Ｍが保存され、水不足対策をなす。そして、例えば野芝の葉が例えば４〜６枚程度になった段階でプラスチックフィルム４を杭12と共に取り除いて芝をあらわしてさらに育成するものである。
【００２３】
以上のように前記実施例では、ベース部２上に、少なくとも発芽前の野芝の種子７を積層し、その上面に有孔なプラスチックフィルム４を積層して、全体を一体化したことにより、植生マット１を地面11に敷くだけで種子７の植え付け作業を行うことができるばかりでなく、種子７はベース部２とプラスチックフィルム４に挟まれて地面11に配置されることとなるので、種子７が風雨で飛ばされたり地面11の傾斜によって流出するようなことなく、所望箇所に比較的容易に発芽させて植生させることができる。しかも、種子７はプラスチックフィルム４に覆われるので保護されて養生できると共に、外気温に直接影響を受けずに済むことができる。またプラスチックフィルム４は孔10を有するので散水した水や雨による水分を、孔10を通して種子７まわりに供給できると共に、プラスチックフィルム４の下にある大部分の水分は第２の紙６、プラスチックフィルム４によって大気に放出されることを阻止されて、種子７の周囲に残って発芽後の水分供給を良好に行うことができる。この結果、日中太陽光で地表から奪われる水分Ｍをプラスチックフィルム４の内側に水滴等として保存させて、水不足対策や湿度保持の効果を奏して良好に育成することができる。
【００２４】
また、前記ベース部２を第１の紙で形成したことによって、種子７から出る根はベース部２を通して地面11に容易に根付くことができ、さらに前記種子７と前記有孔プラスチックフィルム４との間に第２の紙を介在したことで、種子７回りの保水又は及び保湿性能を高めることができ、しかも積層体全体を糸５で縫合したことで一体化し、これにより植生マット１を巻くなどして保管を容易に行うことができる。
【００２５】
さらに、前記プラスチックフィルム４をポリエチレン製とすることで、耐候性や耐寒性に優れ、さらに前記保水又は及び保湿部材を第２の紙とすることで、軽量化やコストダウンを図れる。
【００２６】
しかも、植生マットの製造法にあっては、前記野芝の種子７の表面にあるろう質の被膜を予め除去することで、植生マット１にある種子７を発芽しやすくしておき、発芽率の向上を図ることができる。
【００２７】
また、前記被膜の除去を酸性の液に浸漬して行うことにより、簡単に除去を行うことができる。
【産業上の利用可能性】
【００２８】
以上のように本発明にかかる植生マットは、今までの野芝による芝地の造成は特に専門家による専門的な知識と専門的機械が必要であったが、本発明によりだれでもが手軽に土で手を汚す事なく安価な緑地を手に入れる事を可能とし、芝生緑地、ゴルフ場、或いは個人宅の庭園などの種々の用途に適用できる。
【図面の簡単な説明】
【００２９】
【図１】本発明の実施例１を示す一部を拡大した斜視図である。
【図２】本発明の実施例１を示す設置時の一部を拡大した断面図である。
【図３】本発明の実施例１を示す設置後の一部を拡大した断面図である。
【符号の説明】
【００３０】
１  植生マット
２  ベース部
４  プラスチックフィルム
５  糸
６  第２の紙（保水又は及び保湿部材）
７  種子
10  孔
【図１】
2007000056.tif 000003
【図２】
2007000056.tif 000004
【図３】
2007000056.tif 000005